(57)【要約】【課題】  基布材とモルタル類を組み合わせて形成することで、パネルの板厚を薄く形成させて軽量化を達成させながらモルタル類層の強度的脆さを補強してモルタル類層の割れを防止できると共に、難燃性を有する軽量セメントパネルの提供。【解決手段】  基布材の表面全面にモルタル類を塗布することで形成した全面モルタル類層が形成されている。前記全面モルタル類層の表面に塗装を施すことができる。施工に際しては、取付け対象となる壁面にモルタル類を塗布させ、この壁面側モルタル類層が乾燥しないうちに軽量セメントパネルの裏面を接着貼付させる。【選択図】  図１
2007327318.tif 000002
【特許請求の範囲】
【請求項１】
基布材の表面全面にモルタル類を塗布することで形成した全面モルタル類層が形成されていることを特徴とする軽量セメントパネル。
【請求項２】
請求項１記載の軽量セメントパネルにおいて、前記全面モルタル類層の表面に塗装が施されている軽量セメントパネル。
【請求項３】
基布材の表面にモルタル類を部分的に塗布することで形成した複数の部分モルタル類層が形成され、
隣り合う部分モルタル類層の間に目地部が形成されていることを特徴とする軽量セメントパネル。
【請求項４】
請求項３記載の軽量セメントパネルにおいて、前記部分モルタル類層又は／及び目地部の表面に塗装が施されている軽量セメントパネル。
【請求項５】
基布材の内部に含浸してモルタル類含浸部が形成されると共に、このモルタル類含浸部と一体のモルタル類層が基布材の表面に形成されていることを特徴とする軽量セメントパネル。
【請求項６】
請求項５記載の軽量セメントパネルにおいて、前記モルタル類層の表面に塗装が施されている軽量セメントパネル。
【請求項７】
請求項１〜６のいずれかに記載の軽量セメントパネルを壁面に取付けるための方法であって、
取付け対象となる壁面にモルタル類を塗布させ、この壁面側モルタル類層が乾燥しないうちに軽量セメントパネルの裏面を接着貼付させることを特徴とした軽量セメントパネルの壁面取付け方法。
【請求項８】
請求項１〜６のいずれかに記載の軽量セメントパネルを壁面に取付けるための方法であって、
軽量セメントパネルの裏面にモルタル類を塗布させ、このパネル側モルタル類層が乾燥しないうちに取付け対象となる壁面に接着貼付させることを特徴とした軽量セメントパネルの壁面取付け方法。
【請求項９】
請求項１〜６のいずれかに記載の軽量セメントパネルを壁面に取付けるための方法であって、
取付け対象となる壁面にモルタル類を塗布させ、前記軽量セメントパネルの裏面にモルタル類を塗布させ、前記壁面側モルタル類層及びパネル側モルタル類層が乾燥しないうちに壁面側モルタル類層にパネル側モルタル類層を接着貼付させることを特徴とした軽量セメントパネルの壁面取付け方法。
【発明の詳細な説明】
【技術分野】
【０００１】
本発明は、壁面に取付けて使用する軽量セメントパネル及びこの軽量セメントパネルの壁面取付け方法に関する。
【背景技術】
【０００２】
従来、コンクリート擁壁等の壁面に取付けて使用するパネルとしては、コンクリートにより形成されたコンクリートパネルが知られている（特許文献１参照）。
このコンクリートパネルは、一定の強度は有するが、重量が重く、運搬や壁面への取付け作業に多くの労力を必要とする。
【０００３】
そこで、パネルの軽量化を目的としてモルタル類を用いてパネルを形成することが考えられる。
このように、モルタル類を用いて形成されたパネルは、軽量に形成できるため持ち運びが楽であり、しかも壁面への取付け作業が簡単にできるという利点がある。
しかしながら、単にモルタル類だけで形成されたパネルは、強度的に脆いという問題があり、その強度を補うためにはパネルの板厚を厚くする必要があり、これでは軽量化とは逆行してしまう。
【０００４】
又、モルタル類だけで形成されたパネルは、軽量化のために板厚を薄く形成させると、どうしても反り変形が生じる。
その反り変形をフラットな状態に矯正しようとすると、パネルにヒビ割れが生じ、このヒビ割れによってバラバラに破壊してしまうという問題が生じる。
【特許文献１】特開２００４−１６２４３５号公報
【発明の開示】
【発明が解決しようとする課題】
【０００５】
本発明は、基布材を用いることで、パネルの板厚を薄く形成させて軽量化を達成させながらモルタル類層の強度的脆さを補強してモルタル類層の割れを防止できると共に、難燃性を有する軽量セメントパネルを提供することを第１の課題とし、この軽量セメントパネルを壁面に取付ける作業が簡単かつ確実にできるようにした軽量セメントパネルの壁面取付け方法を提供することを第２の課題としている。
【課題を解決するための手段】
【０００６】
なお、本発明でいう「モルタル類」には、セメントと砂を水で練ったモルタル（以下「砂モルタル」という）、セメントと微細砂（例えば７号）を水で練ったモルタル（以下「微細砂モルタル」という）、セメントを水で練ったセメントペーストを含むものとする。
【０００７】
上記の第１の課題を解決するために、本発明（請求項１）の軽量セメントパネルは、
基布材の表面全面にモルタル類を塗布することで形成した全面モルタル類層が形成されている構成とした。
【０００８】
又、本発明（請求項２）の軽量セメントパネルは、
請求項１記載の軽量セメントパネルにおいて、前記全面モルタル類層の表面に塗装が施されている構成とした。
【０００９】
又、本発明（請求項３）の軽量セメントパネルは、
基布材の表面にモルタル類を部分的に塗布することで形成した複数の部分モルタル類層が形成され、
隣り合う部分モルタル類層の間に目地部が形成されている構成とした。
【００１０】
又、本発明（請求項４）の軽量セメントパネルは、
請求項３記載の軽量セメントパネルにおいて、前記部分モルタル類層又は／及び目地部の表面に塗装が施されている構成とした。
【００１１】
又、本発明（請求項５）の軽量セメントパネルは、
基布材の内部に含浸してモルタル類含浸部が形成されると共に、このモルタル類含浸部と一体のモルタル類層が基布材の表面に形成されている構成とした。
【００１２】
又、本発明（請求項６）の軽量セメントパネルは、
請求項５記載の軽量セメントパネルにおいて、前記モルタル類層の表面に塗装が施されている構成とした。
【００１３】
上記の第２の課題を解決するために、本発明（請求項７）の軽量セメントパネルの壁面取付け方法は、
請求項１〜６のいずれかに記載の軽量セメントパネルを壁面に取付けるための方法であって、
取付け対象となる壁面にモルタル類を塗布させ、この壁面側モルタル類層が乾燥しないうちに軽量セメントパネルの裏面を接着貼付させる構成とした。
【００１４】
又、本発明（請求項８）の軽量セメントパネルの壁面取付け方法は、
請求項１〜６のいずれかに記載の軽量セメントパネルを壁面に取付けるための方法であって、
軽量セメントパネルの裏面にモルタル類を塗布させ、このパネル側モルタル類層が乾燥しないうちに取付け対象となる壁面に接着貼付させる構成とした。
【００１５】
又、本発明（請求項９）の軽量セメントパネルの壁面取付け方法は、
請求項１〜６のいずれかに記載の軽量セメントパネルを壁面に取付けるための方法であって、
取付け対象となる壁面にモルタル類を塗布させ、前記軽量セメントパネルの裏面にモルタル類を塗布させ、前記壁面側モルタル類層及びパネル側モルタル類層が乾燥しないうちに壁面側モルタル類層にパネル側モルタル類層を接着貼付させる構成とした。
【発明の効果】
【００１６】
本発明の軽量セメントパネル（請求項１）は、基布材とモルタル類を組み合わせて形成したもので、基布材によって引っ張りに対する十分な強度を持たせることができるし、基布材の繊維間に形成された多数の隙間にモルタル類が侵入することで、基布材とモルタル類層との一体性を強固にすることができる。
これにより、強度的に脆いモルタル類層にひび割れが生じたとしても基布材によってモルタル類層がバラバラ分解してしまうのを防止することができる。
本発明の軽量セメントパネル（請求項１）は、パネルの板厚を薄く形成させて軽量化を達成させることができるもので、従来のようにモルタル類だけを用いて形成したパネルが軽量パネルであるとすれば、本発明の軽量セメントパネルは基布材とモルタル類を組み合わせて形成したものであるため超軽量パネルといっても過言ではない。不織布とモルタル類の物性を相互に補完した超軽量パネルである。
このようにパネルの板厚を薄く形成させながらもモルタル類層の強度的脆さを補強してモルタル類層の割れを防止できると共に、モルタル類を用いたパネルであるため難燃性を有する。
又、表面に形成されたモルタル類層によって基布材が隠されるため、見た目において基布材を用いていることが判らないように仕上げることができる。
【００１７】
又、本発明の軽量セメントパネル（請求項３）は、隣り合う部分モルタル類層の間に目地部が形成されているため、前記部分モルタル類層を、目地部によって区画されたタイル模様や石積・石垣・玉石状模様等に形成することができるし、目地部において屈曲可能になり、反りを容易に矯正できる。
【００１８】
本発明の軽量セメントパネル（請求項５）は、基布材の内部に含浸してモルタル類含浸部が形成されているため、基布材とモルタル類とを強固に一体化させることができる。
これにより、強度的に脆いモルタル類層にひび割れが生じたとしても基布材によってモルタル類層がバラバラ分解してしまうのを防止することができるし、微細砂モルタルやセメントペーストを用いると、モルタル類層の表面をきめ細かく仕上げることができる。
このように、本発明の軽量セメントパネル（請求項５）は、パネルの板厚を薄く形成させて軽量化を達成させながらモルタル類層の強度的脆さを補強してモルタル類層の割れを防止できると共に、モルタル類を用いたパネルであるため難燃性を有する。
又、表面に形成されたモルタル類層によって基布材が隠されるため、見た目において基布材を用いていることが判らないように仕上げることができる。
【００１９】
従来のように、モルタル類だけによって薄く形成されたセメントパネルは、壁面に取付けた場合に、乾燥や収縮によって変形が生じ、大きなクラックが生じて破壊することが懸念されるが、本発明のように基布材とモルタル類を組み合わせて形成した軽量セメントパネルによれば、壁面に取付けた後の変形を防止することができる。
【００２０】
本発明の軽量セメントパネル（請求項２，４，６）は、前記モルタル類層、又は部分モルタル類層の表面に塗装を施したもので、この塗装によって、色合いや模様（例えば、御影石模様）等を表現させることができ、見た目においてセメントパネルであることが判らないように仕上げることができる。
【００２１】
本発明の軽量セメントパネルの壁面取付け方法（請求項７）は、壁面にモルタル類を塗布して形成した壁面側モルタル類層を接着剤として用い、この上に軽量セメントパネルの裏面を貼り付けるだけの簡単な作業で軽量セメントパネルを壁面に確実に取付けることができる。
【００２２】
本発明の軽量セメントパネルの壁面取付け方法（請求項８）は、軽量セメントパネルの裏面にモルタル類を塗布して形成したパネル側モルタル類層を接着剤として用い、これを取付け対象としての壁面に貼り付けるだけの簡単な作業で軽量セメントパネルを壁面に確実に取付けることができる。
【００２３】
本発明の軽量セメントパネルの壁面取付け方法（請求項９）は、壁面にモルタル類を塗布して形成した壁面側モルタル類層と、軽量セメントパネルの裏面にモルタル類を塗布して形成したパネル側モルタル類層を接着剤として用いたもので、このように、壁面側モルタル類層とパネル側モルタル類層との同一材料同士の接着であるため、軽量セメントパネルを簡単かつ強固に取付けることができる。
【００２４】
又、本発明の軽量セメントパネルの壁面取付け方法（請求項７、８、９）のように、モルタル類を接着剤として用いると、軽量セメントパネルに反りが生じた場合、その軽量セメントパネルを壁面（壁面側モルタル類層）の上で押え付けて平面状に矯正させながら接着させると、軽量セメントパネルをモルタル類層によって保持した状態で、軽量セメントパネルの反りを矯正したまま接着することができる。
このように、軽量セメントパネルがモルタル類によって固められているため、軽量セメントパネルが変形することに伴うクラックや大きな割れが生じることがなく、長期に亘って安定した状態を維持できる。
【発明を実施するための最良の形態】
【００２５】
図１は本発明の軽量セメントパネルの第１実施例を示す斜視図で、請求項１及び請求項２に対応している。
この軽量セメントパネルＡは、基布材１の表面（片面）にモルタル類（実施例では砂モルタル）を全面的に塗布して形成した全面モルタル類層２０が形成され、この全面モルタル類層２０の表面に塗料を全面的に塗布して形成した全面塗膜層３０が形成されている。
【００２６】
前記全面モルタル類層２０は、基布材１の表面にモルタル類をスプレーガン等で吹き付けることにより塗布させたのち乾燥させたもので、基布材１と一体に形成されている。
前記全面塗膜層３０は、全面モルタル類層２０の表面に塗料をスプレーガン等で吹き付けることにより塗装させたのち乾燥させたもので、全面モルタル類層２０と一体に形成されている。
【００２７】
この軽量セメントパネルＡにおいて、基布材１の厚みは３．０〜２５．０ｍｍ、全面モルタル類層２０の厚みは１．０〜５．０ｍｍ、全面塗膜層３０の厚みは０．１〜５．０ｍｍに形成するのが軽量化及び強度保持のために適当と考える。
【００２８】
前記基布材１は、屈曲可能な柔軟性を有し、しかも引っ張りに対する強度を有するものが用いられる。
例えば、不織布（天然繊維不織布、合成繊維不織布）、毛布等の起毛布、フェルト、織布（天然繊維織布、合成繊維織布）、編布（天然繊維編布、合成繊維編布）等を用いることができる。
又、前記基布材１は、モルタル類が侵入できる多数の空隙が繊維間に形成されたもので、この空隙にモルタル類や塗料が侵入することで、全面モルタル類層２０や後述する部分モルタル類層２１、モルタル類層７２、目地部塗膜層３２、壁面側モルタル類層５、パネル側モルタル類層６との一体性を強固にすることができる。
【００２９】
基布材１の材質は問わないが、不織布やフェルトや毛羽立ちの多い起毛布等を用いると、モルタル類や塗料との絡みが良好になり、一体性を強固にすることができる。
【００３０】
塗膜層（全面塗膜層３０、部分塗膜層３１、目地部塗膜層３２）は塗料により形成されるもので、その塗料としては、基布材１の屈曲に追従できる柔軟性を有し、その際ヒビが生じたとしても、それが目で見ても判らない程度の小さなヒビであるようなものであり、例えば、アクリル系樹脂塗料（例えば、大日精化工業株式会社製：ローンコート等）、その他の油性塗料や水溶性塗料等を用いることができる。
【００３１】
塗料に透湿性を有する塗料を用いると、この塗料を通して水分を逃がすことができ、水分が塗膜層やモルタル類層に残ることにより生じる塗膜層やモルタル類層の剥離を抑制することができる。
なお、塗料の色は顔料で任意の色に着色して用いることができるし、透明のままでもよい。
【００３２】
塗料としては市販の塗料を単独で用いたものでもよく、塗料と粒体（例えば、珪砂、パーライト、珪藻土、シラス、パミス：商標）を所定の割合（例えば、１：１）で混合したものでもよく、本発明で言う塗料にはこれらを含むものとする。
特に、塗料と粒体を混合した混合塗料を用いると、塗膜層の表面にザラザラ感を出すことができ、自然石の風合いを持たせることができる。
【００３３】
又、塗膜層は、塗料を二度塗りや三度塗り等の塗り重ね、吹き付け時のエアー強弱調整等によって色合いや模様（例えば、御影石模様）等を表現させることができる。
前記塗り重ねに際し、粒体を混合した混合塗料と、単独塗料を組み合わせて使用することができる。
【００３４】
又、軽量セメントパネルの表面全面は、最終的にクリアコート（コーティング剤、表面保護剤）を塗布するようにしている。
又、軽量セメントパネルの形状は、例えば、円形、角形、多角形、星形、帯状等、任意に決定することができる。
【００３５】
図２は本発明の軽量セメントパネルの第２実施例を示す斜視図で、請求項１及び請求項２に対応している。
この軽量セメントパネルＢは、基布材１の表面（片面）にモルタル類（実施例では砂モルタル）をコテ塗りによって全面的に塗布して形成した全面モルタル類層２０が中高隆起形状に形成されたもので、モルタル類層を設けることによって、このように厚みを持たせることが可能になるし、モルタル類層の表面に凹凸等を付けて自然石の風合いを出すなど、立体的に表現することができる。
なお、全面モルタル類層２０の表面に引っ掻き傷等をデザインとして付すことは任意である。
【００３６】
図３は本発明の軽量セメントパネルの第３実施例を示す斜視図、図４はその軽量セメントパネルの部分断面図で、請求項３及び請求項４に対応している。
この軽量セメントパネルＣは、基布材１の表面にモルタル類（実施例では微細砂モルタル）を部分的に塗布して形成した複数の部分モルタル類層２１がタイル状に形成され、隣り合う部分モルタル類層２１，２１の間にシート目地部１１が形成されたものである。
【００３７】
なお、実施例では、シート目地部１１を除いて各部分モルタル類層２１の表面に塗料を全面的に塗布して形成した部分塗膜層３１が形成されている。
この場合の塗装は、前記部分モルタル類層２１又は／及びシート目地部１１の表面に施すようにしてもよい。
【００３８】
この軽量セメントパネルＣは、基布材１の表面にシート目地部１１を覆うようにマスキングテープを貼り付け、このマスキングテープの上から基布材１の表面にモルタル類を塗布させ、このモルタル類が乾燥したのち上から塗料を塗布させ、この塗料が乾燥したのちマスキングテープを剥ぎ取ることにより、部分モルタル類層２１及びシート目地部１１を形成させるようにした製造方法によって製造される。
なお、部分モルタル類層を形成する場合、この部分モルタル類層を形成する部分に不織布等のシート材を重ね合わせて縫合することで厚みを厚くさせ、この上に部分モルタル類層を形成することができる。これにより複数の部分モルタル類層の中で厚みが厚い部分モルタル類層と厚みが薄い部分モルタル類層とを形成でき、厚みの変化によってデザインに変化を持たせることができる。
【００３９】
図５は本発明の軽量セメントパネルの第４実施例を示す部分断面図で、請求項３及び請求項４に対応している。
この軽量セメントパネルＤは、基布材１の表面にモルタル類（実施例では砂モルタル）をコテ塗りにより部分的に塗布して形成した複数の部分モルタル類層２１が石垣状に形成され、隣り合う部分モルタル類層２１，２１の間にシート目地部１１が形成されたものである。
この場合、部分モルタル類層２１及びシート目地部１１の表面に塗料を塗布して形成した部分塗膜層３１及び目地塗膜層３２が形成されている。
この場合の塗装は、前記部分モルタル類層２１又は／及びシート目地部１１の表面に施すようにしてもよい。
【００４０】
なお、前記第３実施例は部分モルタル類層２１をタイル形状に形成し、第４実施例は部分モルタル類層２１を石垣形状に形成しているが、その他、ストライプ形状や幾何学模様に形成することもできる。
【００４１】
図６は本発明の軽量セメントパネルの第５実施例を示す部分断面図、図７はその軽量セメントパネルの製造方法を示す概略工程図で、請求項５及び請求項６に対応している。
この軽量セメントパネルＥは、基布材１の内部にモルタル類（実施例では、微細砂モルタル又はセメントペースト）を含浸させたモルタル類含浸部７０が形成されると共に、このモルタル類含浸部７０と一体のモルタル類層７１が基布材１の表面に形成され、このモルタル類層７１の表面に塗料を全面的に塗布して形成した全面塗膜層３０が形成されている。
【００４２】
この軽量セメントパネルＥの製造方法は、まず、平型枠７内にモルタル類７ａを入れ（図７−イ）、次に基布材１を平型枠７内に入れてモルタル類７ａ中に沈めていくもので（図−ロ）、このとき、基布材１の上面部分にモルタル類７ａが含浸しない非含浸部分７２が残るように、基布材１の上面部分を残して浸漬させていく。
そして、この状態で適度に乾燥させたのち、平型枠７内から取り出すことにより（図−ハ）、基布材１の内部にモルタル類が含浸したモルタル類含浸部７０が形成されると共に、このモルタル類含浸部７０と一体のモルタル類層７１が基布材１の下面（図６では上面）に形成され、かつ非含浸部分７２が基布材１の上面（図６では下面）に形成された軽量セメントパネルＥを製造することができる。なお、この状態では全面塗膜層３０は形成されていない。
【００４３】
非含浸部分７２を形成する理由は、後述する図８、図９、図１０のように、軽量セメントパネルを壁面に取付ける場合、軽量セメントパネルの裏面を基布材１のままに露出しておくことで接着剤としてのモルタル類との絡みを良好にさせるためであり、これにより軽量セメントパネルの接着貼付を強固にすることができる。
【００４４】
又、実施例では非含浸部分７２を形成するために、基布材１の上面部分を残してモルタル類７ａ中に浸漬させるようにしたが、基布材１を全面的にモルタル類中に浸漬させ、基布材の上面部分に付着したモルタル類を水により洗い出すことで非含浸部分を形成することもできる。
【００４５】
次に、前記軽量セメントパネルを壁面に取付けるための壁面取付け方法を説明する。
図８は本発明の壁面取付け方法の第１実施例を示す斜視図で、請求項７に対応している。
この実施例では、Ｌ形コンクリートブロック４の壁面４０を取付け対象とし、この壁面４０にモルタル類を満遍なく塗布させ、この壁面側モルタル類層５が乾燥しないうちに軽量セメントパネルＡ（軽量セメントパネルＢ又は軽量セメントパネルＣ又は軽量セメントパネルＤ又は軽量セメントパネルＥでもよい）の裏面を接着貼付させるようにしている。
【００４６】
なお、施工において、壁面４０にモルタル類を塗布させる際に、モルタル類の接着性を良好にさせるための前処理として、壁面に下地材（例えば、「商標：ハイフレックス１０００：日本化成社製」、「商標：ユニレックス：二瀬窯業社製」等）を満遍なく塗布するようにしている。
又、軽量セメントパネルの裏面を壁面側モルタル類層５に接着貼付させる際には、この軽量セメントパネルの基布材を水によって濡らしておく。
【００４７】
このように、モルタル類を接着剤（水和反応による接着）として用い、この上に軽量セメントパネルＡの裏面を貼り付けるだけの簡単な作業で、軽量セメントパネルＡを壁面４０に取付けることができる。
【００４８】
なお、この第１実施例において、軽量セメントパネルの基布材の内部に、この基布材の裏面を露出させる状態でモルタル類を含浸させ、この含浸させたモルタル類が乾燥したのち、壁面側モルタル類層に接着貼付させるようにしてもよい。
このようにすると、基布材による壁面側モルタル類層からの吸水量が少なくなり、接着貼付を強固にさせることができる。
前記モルタル類を含浸させるか否かの判断、モルタル類の含浸厚さ等は、基布材の厚さや軽量セメントパネルの重量等を勘案して決定する。
【００４９】
本発明の軽量セメントパネルは、不織布等の基布材１の両面を利用したもので、即ち、片面にモルタル類層によるパネル面を形成させ、他面に接着剤としてのモルタル類を全面的に満遍なく塗布させる接着貼付面を形成させたことに特徴がある。このように軽量セメントパネルの裏面を基布材が露出した接着貼付面に形成させたので、壁面と基布材の接着貼付状態が密着し、そこに空間やすき間ができない。
【００５０】
図９は本発明の壁面取付け方法の第２実施例を示す斜視図で、請求項８に対応している。
この実施例では、軽量セメントパネルＥ（軽量セメントパネルＡ、軽量セメントパネルＢ又は軽量セメントパネルＣ又は軽量セメントパネルＤでもよい）の裏面にモルタル類を塗布させてパネル側モルタル類層６を形成させ、このパネル側モルタル類層６が乾燥しないうちに取付け対象となるＬ形コンクリートブロック４の壁面４０に接着貼付させるようにしたものである。
なお、軽量セメントパネルの裏面にモルタル類を塗布させる際には、この軽量セメントパネルの基布材を水によって濡らしておく。
又、施工において、壁面４０に軽量セメントパネルのパネル側モルタル類層６を接着貼付させる際に、このパネル側モルタル類層６の接着性を良好にさせるための前処理として、壁面に下地材（例えば、「商標：ハイフレックス１０００：日本化成社製」、「商標：ユニレックス：二瀬窯業社製」等）を満遍なく塗布するようにしている。
【００５１】
図１０は本発明の壁面取付け方法の第３実施例を示す斜視図で、請求項９に対応している。
この実施例では、取付け対象となるＬ形コンクリートブロック４の壁面４０にモルタル類を塗布させる一方、軽量セメントパネルＣ（軽量セメントパネルＡ又は軽量セメントパネルＢ又は軽量セメントパネルＤ又は軽量セメントパネルＥでもよい）の裏面にもモルタル類を満遍なく塗布させ、壁面側モルタル類層５及びパネル側モルタル類層６が乾燥しないうちに壁面側モルタル類層５の上にパネル側モルタル類層６の裏面を接着貼付させるようにしている。
【００５２】
このように、軽量セメントパネルＣの裏面にもモルタル類を塗布させると、パネル側モルタル類層６と壁面側モルタル類層５との同一材料同士の接着になるため、軽量セメントパネルＢを壁面４０に強固に取付けることができる。
【００５３】
なお、この第３実施例において、軽量セメントパネルの基布材の内部に、この基布材の裏面を露出させる状態でモルタル類を含浸させ、この含浸させたモルタル類が乾燥したのち基布材の裏面にモルタル類を塗布してパネル側モルタル類層を形成させてもよい。
【００５４】
前記壁面側モルタル類層やパネル側モルタル類層の厚みは適宜に決定できるが、通常、壁面側モルタル類層は２．０〜５．０ｍｍ厚、パネル側モルタル類層は１．０〜５．０ｍｍ厚程度としている。
壁面側モルタル類層やパネル側モルタル類層の塗布は、スプレーガンによる吹き付け塗布以外に、刷毛塗りやコテ塗りでもよい。
モルタル類層を形成するための吹き付け塗布やコテ塗り等は、壁面や基布材に対して満遍なく行なうものである。
【００５５】
又、壁面側モルタル類層及びパネル側モルタル類層は、モルタル類に樹脂（例えば、アクリル系樹脂）を混合して強度を向上させた樹脂モルタル類で形成したものを含む。
【００５６】
なお、本発明の軽量セメントパネルは、Ｌ形コンクリートブロック壁面だけでなく、積みブロック壁面、現場打ちコンクリート擁壁壁面、石膏ボード壁面、カーテンウォール壁面、鉄骨（Ｈ型鋼）壁面、その他の建築物や構築物の壁面に取付けることができる。
【図面の簡単な説明】
【００５７】
【図１】本発明の軽量セメントパネルの第１実施例を示す斜視図。
【図２】本発明の軽量セメントパネルの第２実施例を示す斜視図。
【図３】本発明の軽量セメントパネルの第３実施例を示す斜視図。
【図４】その軽量セメントパネルの部分断面図。
【図５】本発明の軽量セメントパネルの第４実施例を示す部分断面図。
【図６】本発明の軽量セメントパネルの第５実施例を示す部分断面図である。
【図７】その軽量セメントパネルの製造方法を示す概略工程図である。
【図８】本発明の壁面取付け方法の第１実施例を示す斜視図。
【図９】本発明の壁面取付け方法の第２実施例を示す斜視図。
【図１０】本発明の壁面取付け方法の第３実施例を示す斜視図。
【符号の説明】
【００５８】
１  基布材
１１  シート目地部
２０  全面モルタル類層
２１  部分モルタル類層
３０  全面塗膜層
３１  部分塗膜層
３２  目地部塗膜層
４  Ｌ形コンクリートブロック
５  壁面側モルタル類層
４０  壁面
６  パネル側モルタル類層
７  平型枠
７ａ  セメントペースト
７０  セメントペースト含浸部
７１  セメントペースト層
７２  非含浸部分
Ａ  軽量セメントパネル
Ｂ  軽量セメントパネル
Ｃ  軽量セメントパネル
Ｄ  軽量セメントパネル
Ｅ  軽量セメントパネル
【図１】
2007327318.tif 000003
【図２】
2007327318.tif 000004
【図３】
2007327318.tif 000005
【図４】
2007327318.tif 000006
【図５】
2007327318.tif 000007
【図６】
2007327318.tif 000008
【図７】
2007327318.tif 000009
【図８】
2007327318.tif 000010
【図９】
2007327318.tif 000011
【図１０】
2007327318.tif 000012